(57)【要約】【課題】ワンパスＡＤＦ方式で原稿の表裏両面を読み取る原稿読取装置において、裏面読取用の密閉型の読取部を構成するイメージセンサ又は光学部品に付着したゴミを除去し、原稿裏面の読取画質を向上させる。【解決手段】イメージスキャナ装置は、原稿を搬送するための原稿搬送経路３０と、表面読取用のスキャナユニットと、裏面読取用の密閉型の第２スキャナユニット６０と、を備える。第２スキャナユニット６０は、ＣＣＤ５７と、光学部品（反射ミラー６２〜６５及び集光レンズ６７）と、を備える。原稿からの反射光は前記光学部品によってＣＣＤ５７に導かれ、原稿画像が読み取られる。ＣＣＤ５７及び前記光学部品は、スキャナフレーム１２によって保持されている。第２スキャナユニット６０は、ＣＣＤ５７及び前記光学部品を振動させるための偏心モータ１５を備える。また、スキャナフレーム１２内部に粘着部材１７，１８が設けられる。【選択図】図３
2009135798.tif 000002
【特許請求の範囲】
【請求項１】
原稿を搬送するための原稿搬送経路と、
前記原稿の第１面を読み取るための第１の読取部と、
前記原稿の第２面を読み取るための密閉型の第２の読取部と、
を備え、
前記第２の読取部は、
原稿画像を読み取るためのイメージセンサと、
原稿からの光を前記イメージセンサに導くための光学部品と、
前記イメージセンサ及び前記光学部品を保持するためのスキャナフレームと、
前記イメージセンサ又は前記光学部品のうち少なくとも何れか一方を振動させるための振動部と、
を備えることを特徴とする原稿読取装置。
【請求項２】
請求項１に記載の原稿読取装置であって、
前記スキャナフレームの内部に配置される粘着部材を備えることを特徴とする原稿読取装置。
【請求項３】
請求項２に記載の原稿読取装置であって、
前記粘着部材が交換可能に構成されていることを特徴とする原稿読取装置。
【請求項４】
請求項１から３までの何れか一項に記載の原稿読取装置であって、
前記振動部が前記スキャナフレームの内部に配置されることを特徴とする原稿読取装置。
【請求項５】
請求項１から４までの何れか一項に記載の原稿読取装置であって、
前記振動部は偏心モータであることを特徴とする原稿読取装置。
【請求項６】
請求項１から４までの何れか一項に記載の原稿読取装置であって、
前記振動部は振動素子であることを特徴とする原稿読取装置。
【発明の詳細な説明】
【技術分野】
【０００１】
本発明は、自動原稿搬送装置（オートドキュメントフィーダ、ＡＤＦ）を備えるとともに両面読取機能を有する原稿読取装置に関する。
【背景技術】
【０００２】
この種の原稿読取装置の中には、ＡＤＦに表面読取用の第１の読取部と裏面読取用の第２の読取部とを備え、原稿搬送経路に原稿を１回通過させるだけで両面読取が可能な構成をとるものがある。このようなワンパスＡＤＦ方式の構成において、前記第２の読取部は密閉型としてゴミ等の異物の侵入を防止し、内部に配置される光学部品等に異物が付着しないように構成されていることが多い。
【０００３】
しかしながら、第２の読取部を上記のように密閉型に構成しても、何らかの事情でミラー、光源、レンズ及び電荷結合素子（ＣＣＤ）等に紙粉及び埃等のゴミが付着する場合がある。これら光学部品及びイメージセンサにゴミが付着すれば、読取画像の黒線（白線）の原因となるが、読取部が密閉構造であるため清掃が非常に困難である。
【０００４】
特許文献１は、ゴミが付着した場合の画像読取の際に、光学部品を原稿搬送方向に対応する方向に振動させる構成の原稿読取装置を開示する。特許文献１は、この構成によって、ゴミが読取画像にスジ状に現れることを防止し、ゴミが読取画像へ与える影響を抑制できるとする。
【特許文献１】特開２０００−３２４３１２号公報
【発明の開示】
【発明が解決しようとする課題】
【０００５】
上記特許文献１の構成では、ゴミ付着の際でも清掃の手間をかけること無く、読取画像の黒線（白線）の発生を抑制することができる。しかし、上記特許文献１の構成はゴミの除去を目的としておらず、そのため根本的な解決手段を示しているとは言い難い。
【０００６】
特に、特許文献１の構成は振動方向と振動周期に制限があるために、ゴミの除去に最適な構成とは言えない。また、読取中の各部品の振動が読取画像の画質低下の原因とならないように、各光学部品の振動方向と振動周期等を厳密に制御しなければならない。従って、装置が大掛かりとなってしまい、ワンパスＡＤＦの内部に備えられる構成をとることが多い第２の読取部には適用することが困難である。
【０００７】
更に、密閉構造の読取部内に設置された部品のゴミ除去を行う場合は、ゴミの捕集、及び捕集したゴミの外部への排出手段についても考慮する必要がある。
【０００８】
本発明は以上の目的に鑑みてされたものであって、その目的は、裏面読取用に密閉型の読取部を備えるワンパスＡＤＦを有する原稿読取装置において、当該読取部のイメージセンサ又は光学部品に付着したゴミを除去することに適した構成を提供することにある。
【課題を解決するための手段及び効果】
【０００９】
本発明の解決しようとする課題は以上の如くであり、次にこの課題を解決するための手段とその効果を解説する。
【００１０】
本発明の観点によれば、以下の構成の原稿読取装置が提供される。即ち、この原稿読取装置は、原稿を搬送するための原稿搬送経路と、前記原稿の第１面を読み取るための第１の読取部と、前記原稿の第２面を読み取るための密閉型の第２の読取部と、を備える。前記第２の読取部は、原稿画像を読み取るためのイメージセンサと、原稿からの光を前記イメージセンサに導くための光学部品と、を備える。さらに、前記画像読取装置は、前記イメージセンサ及び前記光学部品を保持するためのスキャナフレームと、前記イメージセンサ又は前記光学部品のうち少なくとも何れか一方を振動させるための振動部と、を備える。
【００１１】
この構成の原稿読取装置は、振動によってイメージセンサ或いは光学部品に付着したゴミを落とすことができる。これにより、従来は清掃及び除去が非常に困難であった密閉状の裏面用読取部内部の部品についたゴミを、装置の分解などの手間をかけることなく除去することができる。
【００１２】
前記原稿読取装置においては、前記スキャナフレームの内部に配置される粘着部材を備えることが好ましい。
【００１３】
この粘着部材を内部に設置することにより、前記振動部の振動によって落とされたゴミを装置内部で捕集し、前記イメージセンサ及び前記光学部品に再付着することを防ぐことができる。
【００１４】
前記原稿読取装置においては、前記粘着部材が交換可能に構成されていることが好ましい。
【００１５】
この構成により、ゴミの付着によって粘着力が低下した場合でも、粘着部材を新品に交換することでゴミの捕集能力を容易に回復させることができる。
【００１６】
前記原稿読取装置においては、前記振動部が前記スキャナフレームの内部に配置されることが好ましい。
【００１７】
この構成により、内部のイメージセンサ或いは光学部品を直接的に振動させることができ、部品に付着したゴミを効果的に落下させて取り除くことができる。また、第２の読取部が簡素かつコンパクトとなる。
【００１８】
前記原稿読取装置においては、前記振動部は偏心モータであることが好ましい。
【００１９】
偏心モータを用いることにより、安価で簡単な構造とすることができる。
【００２０】
前記原稿読取装置においては、前記振動部は振動素子であることが好ましい。
【００２１】
振動素子を用いることにより、第２の読取部をコンパクトに構成することができる。また、振動部の可動部分が少ないため、故障が少ない構成にすることができる。
【発明を実施するための最良の形態】
【００２２】
以下、本発明の好適な実施形態について図面を参照しながら説明する。図１は本発明の一実施形態に係る原稿読取装置としてのイメージスキャナ装置１０を含むコピーファクシミリ複合機（複合機）２０の外観斜視図である。図１に示すように、コピーファクシミリ複合機２０は、ブックスキャナ及びオートドキュメントフィードスキャナとして機能するイメージスキャナ装置１０を備える。また、複合機２０は、コピー部数、ファクシミリ送信先及び原稿読取等を指示するための操作パネル７７と、記録媒体としての用紙に画像を形成する画像形成部等を内蔵した本体７８と、前記用紙を順次供給する給紙カセット７９と、を備えている。前記本体７８は、通信回線を介して画像データを伝送するための図略の送受信部を備える。
【００２３】
次に図２を参照して、前記複合機２０が備えるイメージスキャナ装置１０について説明する。図２はイメージスキャナ装置１０の正面断面図である。図２に示すように、イメージスキャナ装置１０は、プラテンガラス２２と原稿台カバー２１とを備えている。この原稿台カバー２１には自動原稿搬送装置（オートドキュメントフィーダ、ＡＤＦ）２５が備えられている。また、イメージスキャナ装置１０は、原稿の画像を読み取るためのスキャナユニット（第１の読取部）５０及び第２スキャナユニット（第２の読取部）６０を備えている。
【００２４】
このイメージスキャナ装置１０をオートドキュメントフィードスキャナとして使用する場合は、前記ＡＤＦ２５によって原稿を１枚ずつ搬送する。そして、原稿の表側の面（第１面）の画像はスキャナユニット５０によって読み取られ、裏側の面（第２面）の画像は第２スキャナユニット６０によって読み取られる。
【００２５】
一方、イメージスキャナ装置１０をブックスキャナとして使用する場合は、読み取るべきブック原稿をユーザがプラテンガラス２２上に載置して、その上から原稿台カバー２１によって押圧して、ブック原稿が動かないように固定する。この状態で、スキャナユニット５０によって原稿の画像を読み取ることができるようになっている。
【００２６】
図２に示すように、前記原稿台カバー２１が備えるＡＤＦ２５は、原稿台カバー２１の上部に設けられた原稿トレイ２３と、この原稿トレイ２３の下方に設けられた排出トレイ２４と、を備える。
【００２７】
図２に示すように、前記原稿台カバー２１の内部には、原稿トレイ２３と排出トレイ２４とを繋ぐ湾曲状の原稿搬送経路３０が構成されている。この構成で、原稿トレイ２３に重ねてセットされた原稿は、１枚ずつ分離されて湾曲状の前記原稿搬送経路３０に沿って搬送され、排出トレイ２４へ排出される。原稿の読取の開始等の指示は、図２において省略されている操作パネル７７によって行うことができる。
【００２８】
次に、原稿搬送経路３０に沿って、ＡＤＦ２５の各部の詳細な構成を説明する。
【００２９】
図２に示すように、原稿トレイ２３から原稿搬送経路３０に原稿が供給される箇所にはピックアップローラ３１が配置されている。このピックアップローラ３１の下流側には分離ローラ３２が備えられ、この分離ローラ３２に対向して対向ローラ３７が配置されている。ピックアップローラ３１は原稿トレイ２３上の最上層の原稿を繰り込み、下流の分離ローラ３２へ向かって搬送する。分離ローラ３２は、原稿を対向ローラ３７との間でニップしながら駆動することで、原稿を１枚ずつ分離し、更に下流側へ搬送する。
【００３０】
分離ローラ３２の下流側にはレジストローラ３９とこのレジストローラ３９と対になる対向ローラとが配置されている。レジストローラ３９は前記対向ローラとともに、分離ローラ３２によって搬送されてくる原稿の先頭側を一時的に止めて弛ませ、所定時間後に弛みを除去しつつ下流側に搬送する。これにより、原稿の斜行が矯正される。
【００３１】
レジストローラ３９の下流側には、複数の搬送ローラ３３，３４，３５が設けられる。また、この搬送ローラ３３，３４，３５のそれぞれに対向するようにローラが配置されている。前記レジストローラ３９の駆動によって下流側へ搬送された原稿は、搬送ローラ３３，３４，３５とそれらに対向するローラとによりニップされて更に下流側へ搬送される。
【００３２】
２つの搬送ローラ３４，３５の間には第１原稿読取位置８０が設定されており、この第１原稿読取位置８０を通過する原稿は、以下に説明するスキャナユニット５０によって走査され、読み取られる。なお、この第１原稿読取位置８０にはプラテンローラ２９が配置されている。
【００３３】
スキャナユニット５０を説明する。このスキャナユニット５０は本体７８側に設置されるとともに、ＡＤＦ２５及びプラテンガラス２２の下方に配置されている。また、このスキャナユニット５０は、光源５１と、反射ミラー５２，５３，５４と、集光レンズ５５と、電荷結合素子（ＣＣＤ）５６と、を備えている。光源５１は前記ＡＤＦ２５の前記第１原稿読取位置８０（又はプラテンガラス２２）に対して光を照射し、反射ミラー５２，５３，５４は原稿からの反射光を反射させる。そしてこの反射光を集光レンズ５５で収束させて、この収束光がＣＣＤ５６の部分で結像するように構成されている。
【００３４】
スキャナユニット５０の光源５１及び反射ミラー５２等は移動可能に構成されている。前述したようにイメージスキャナ装置１０をブックスキャナとして使用する場合は、スキャナユニット５０の光源５１及び反射ミラー５２等をプラテンガラス２２に沿って移動させる。これによって、プラテンガラス２２上に載置された原稿を走査できるようになっている。
【００３５】
イメージスキャナ装置１０をオートドキュメントフィードスキャナとして使用する場合（ＡＤＦ２５を用いて原稿を読み取る場合）について説明する。この場合、光源５１及び反射ミラー５２等は、図２に示すように、前記第１原稿読取位置８０に対向する位置まで移動させて静止させておく。この状態でＡＤＦ２５を駆動することにより、原稿搬送経路３０を搬送されて第１原稿読取位置８０を通過する原稿の表側の面を、スキャナユニット５０が走査して読み取ることができる。
【００３６】
スキャナユニット５０において、原稿からの反射光は前述のとおりＣＣＤ５６へ導かれて結像し、ＣＣＤ５６は原稿の画像情報に応じた電気信号を出力する。この信号は適宜変換処理され、複合機２０が備える画像形成部に送信される。そして、この送信された画像情報が画像形成部によって記録媒体としての用紙に転写されることで、複合機２０のコピー機能等が実現される。
【００３７】
原稿搬送経路３０において、前記第１原稿読取位置８０の下流側（搬送ローラ３５の下流側）には第２原稿読取位置９０が設定されている。この第２原稿読取位置９０を通過する原稿の裏面は、次に説明する第２スキャナユニット６０によって走査されて読み取られる。
【００３８】
第２スキャナユニット６０は、内部の光学系を構成する部品等を保持するスキャナフレーム１２を備えている。このスキャナフレーム１２は、第２スキャナユニット６０の構成部品の外側を覆うように構成されている。スキャナフレーム１２の底部には、原稿の裏面を読み取るための読取ガラス４２が備えられる。この読取ガラス４２は、前記第２原稿読取位置９０に対応する位置に配置される。
【００３９】
スキャナフレーム１２は密閉状に構成されており、この内部に、第２スキャナユニット６０の構成部品が配置される。この第２スキャナユニット６０は前記スキャナユニット５０と同様に、光源６１と、反射ミラー６２，６３，６４，６５と、集光レンズ６７と、及び電荷結合素子（ＣＣＤ）５７と、を備えている。前記光源６１は前記読取ガラス４２を介して第２原稿読取位置９０に光を照射し、原稿からの反射光は反射ミラー６２，６３，６４，６５によって反射し、更に集光レンズ６７で収束してＣＣＤ５７の部分に結像する。ＣＣＤ５７は、スキャナユニット５０におけるＣＣＤ５６と同様に、原稿の画像情報に応じた電気信号を出力する。この信号も適宜変換処理され、複合機２０が備える画像形成部に送信される。
【００４０】
また、スキャナフレーム１２の第２原稿読取位置９０（前記読取ガラス４２）に対向するように、プラテンローラ３８がＡＤＦ２５本体部分に配置されている。この構成で、前記搬送ローラ３５により搬送された原稿がプラテンローラ３８の部分に差し掛かると、当該原稿はプラテンローラ３８により搬送されながらその裏側の面が走査されて読み取られる。
【００４１】
以上のようにして２つの原稿読取位置で表裏両面の内容を読み取られた原稿は、排出ローラ３６によって搬送され、排出トレイ２４へ排出される。このようにして、原稿搬送経路３０に原稿を１回通過させるだけで両面読取が可能な構成の、いわゆるワンパス方式のＡＤＦ２５が構成されている。
【００４２】
次に図３を参照して、第２スキャナユニット６０の縮小光学系を構成する部品を振動させる構成について説明する。図３は本実施形態におけるイメージスキャナ装置１０に備えられたＡＤＦ２５の拡大図である。
【００４３】
図３等に示すように、第２スキャナユニット６０は偏心モータ（振動部）１５を備えている。この偏心モータ１５は前記集光レンズ６７の近傍にあって、原稿からの反射光を遮らないようにスキャナフレーム１２内に配置されている。この構成で、前記偏心モータ１５が駆動されてスキャナフレーム１２を振動させることにより、前記スキャナフレーム１２内に保持される光源６１と、反射ミラー６２，６３，６４，６５と、集光レンズ６７と、ＣＣＤ５７とを振動させる。この振動によって、光学部品及びＣＣＤ５７に付着したゴミを落とすことができる。
【００４４】
また、第２スキャナユニット６０は粘着部材１７，１８を備えている。粘着部材１７，１８はシート状に構成されており、前記スキャナフレーム１２に備えられたカバー９１，９２の内側面に設置されている。これにより、上方に位置する光源６１、反射ミラー６２，６３，６４，６５、集光レンズ６７及びＣＣＤ５７から、偏心モータ１５による振動によって落ちてくるゴミを捕集し、再飛散及び最付着を防ぐ。また前記カバー９１，９２は、スキャナフレーム１２に対してロック爪、ネジ等の適宜の取外し可能な固定手段によって取り付けられており、取外しが可能である。このため、前記粘着部材１７，１８はカバー９１，９２を開けることにより容易に取り外して交換可能であり、ゴミが溜まった粘着部材１７，１８をメンテナンスの際に新品に交換することができる。
【００４５】
以上に説明したように、本実施形態のイメージスキャナ装置１０は、原稿を搬送するための原稿搬送経路３０と、スキャナユニット５０と、第２スキャナユニット６０と、を備える。前記スキャナユニット５０は原稿の表面を読み取り、第２スキャナユニット６０は原稿の裏面を読み取るように構成されている。また、第２スキャナユニット６０は密閉型に構成されている。そして、第２スキャナユニット６０は、原稿画像を読み取るためのＣＣＤ５７と、原稿からの反射光を前記ＣＣＤ５７に導くための光学部品（反射ミラー６２，６３，６４，６５及び集光レンズ６７）と、前記ＣＣＤ５７及び前記光学部品を振動させるための偏心モータ１５と、を備える。
【００４６】
この構成により、ＣＣＤ５７及び集光レンズ６７等に付着したゴミを振動によって落とすことができる。これにより、従来は清掃及び除去が非常に困難であった密閉構造の第２スキャナユニット６０内部の部品についたゴミを、装置の分解などの手間をかけることなく除去することができる。
【００４７】
また、前記第２スキャナユニット６０は、前記スキャナフレーム１２の内部に配置される粘着部材１７，１８を備えている。
【００４８】
この構成により、偏心モータ１５の振動によって落とされたゴミを装置内部で捕集し、前記ＣＣＤ５７及び前記集光レンズ６７等へのゴミの再付着を防ぐことができる。
【００４９】
また、本実施形態において、前記粘着部材１７，１８は交換可能に構成されている。
【００５０】
この構成により、ゴミの付着によって粘着部材１７，１８の粘着力が低下した場合でも、粘着部材１７，１８を新品に交換してゴミの捕集能力を容易に回復させることができる。
【００５１】
また、本実施形態において、前記偏心モータ１５は前記スキャナフレーム１２の内部に配置されている。
【００５２】
この構成により、ＣＣＤ５７及び光学部品等を直接的に振動させることができ、部品に付着したゴミを効果的に落下させて取り除くことができる。また、第２スキャナユニット６０を簡素かつコンパクトに構成できる。
【００５３】
また、本実施形態において、ＣＣＤ５７及び前記集光レンズ６７等の光学部品は偏心モータ１５によって振動するように構成されている。
【００５４】
この構成により、ＣＣＤ５７及び集光レンズ６７等のゴミを除去する機能を、安価で簡単な構成により実現できる。
【００５５】
なお、ＣＣＤ５７、前記反射ミラー６２，６３，６４，６５、集光レンズ６７等は、偏心モータ１５に代えて、例えば圧電振動子のような振動素子により振動させる構成に変更することができる。
【００５６】
この場合、第２スキャナユニット６０の小型化が容易になるともに、可動部分が少ないため故障が少ない構成にすることができる。
【００５７】
以上に本発明の好適な実施形態及びその変形例について説明したが、上記構成は例えば以下のように変更することができる。
【００５８】
ＣＣＤ５７及び上記光学部品を振動させるための振動部としては、前記偏心モータ１５及び圧電振動子とすることに代えて、例えばリニア振動アクチュエータを採用することができる。
【００５９】
振動部（偏心モータ１５）を取り付ける位置は、振動を光学部品及びＣＣＤに伝えることができる構成であれば任意の場所に変更することができ、例えばＣＣＤ５７の近傍に変更することができる。また、振動部をスキャナフレーム１２の外部に配置することができる。
【００６０】
振動部の数は１つに限られず、複数に変更することができる。さらに、この構成の場合はスキャナフレーム１２全体を振動させる構成ではなく、振動部を各光学部品及びＣＣＤ５７に個別に取り付け、振動対象部品を個別に振動させる構成に変更することができる。個別に振動させる構成をとる場合には、スキャナフレーム１２を振動させるための強力な振動部を用いる必要がなく、各振動対象部品に適合した振動部を用いることができる利点がある。また、各光学部品及びＣＣＤ５７のうち、ゴミが付着し易い一部のものにのみ振動部を配置して、ゴミの除去効果を効果的に発揮させながら構成の小型化及び簡素化を図ることもできる。
【００６１】
前記イメージスキャナ装置１０に代えて、例えば両面読取方式のコピー機、コピーファクシミリ複合機等にも、本発明の構成を適用することができる。
【図面の簡単な説明】
【００６２】
【図１】本発明の一実施形態に係るイメージスキャナ装置を含む複合機の様子を示した外観斜視図。
【図２】本実施形態におけるイメージスキャナ装置の構成を示した正面断面図。
【図３】イメージスキャナ装置に備えられたＡＤＦ部の拡大図。
【符号の説明】
【００６３】
１０  イメージスキャナ装置（原稿読取装置）
１２  スキャナフレーム
１５  偏心モータ（振動部）
１７，１８  粘着部材
３０  原稿搬送経路
５０  スキャナユニット（第１の読取部）
５７  ＣＣＤ（イメージセンサ）
６０  第２スキャナユニット（第２の読取部）
６１  光源
６２〜６５  反射ミラー（光学部品）
６７  集光レンズ（光学部品）
９１，９２  カバー
【図１】
2009135798.tif 000003
【図２】
2009135798.tif 000004
【図３】
2009135798.tif 000005